(57)【要約】      （修正有）【課題】密閉容器に内容物を封入したまま流通させることができると共に、使用の際の取り出しも容易な塗布容器を提供する。【解決手段】本発明の容器は、破断可能な薄膜によって封止された容器本体と、塗布具付きカバー3と、カバーの下端に固定されてその内側に充填空間3sを形作る筒状保持部4bが設けられたベース4と、筒状保持部を貫通する貫通筒5aを有し口筒2bを取り囲むキャップ5とを備え、キャップ5は口筒にねじ付けられ口筒を貫通筒に向かって繰り上げる。キャップの内側と充填空間2sとを通じさせる貫通筒の貫通孔から、キャップの回転により繰り上がった口筒の被膜を押圧して被膜を破断させる突起部5dを垂下させ、更に、キャップに設けられた凸部5pが、ベース4から垂下する周壁4cに設けられた凸部4p1に対して回転可能に嵌合保持されている。筒状保持部に、貫通筒を全周に亘って摺動可能に保持する環状の突起が設けられている。【選択図】図２
2011251709.tif 000002
【特許請求の範囲】
【請求項１】
口筒の上端開口が破断可能に封止された少なくとも１つの密閉容器からなる容器本体と、当該容器本体からの内容物を外界に注出させる開口部を有して内容物を塗布する塗布具付きカバーと、当該塗布具付きカバーの下端に固定されてその内側に充填空間を形作ると共に当該充填空間を外界に通じさせる筒状保持部が設けられたベースと、当該ベースの筒状保持部を貫通する貫通筒を有し容器本体の口筒を取り囲むキャップとを備え、
当該キャップは、筒状保持部で回転可能に保持されていると共に、筒体部の内周面に形成されたねじ部によって、口筒にねじ付けられて当該口筒を貫通筒に向かって繰り上げるものであって、
キャップの内側と充填空間とを通じさせる貫通筒の貫通孔から、キャップの回転により繰り上がった口筒の被膜を押圧して当該被膜を破断させる突起部を垂下させ、更に、
キャップが、ベースに対して回転可能に嵌合保持されていると共に、
当該ベースの筒状保持部に、貫通筒を全周に亘って摺動可能に保持する環状の突起が設けられていることを特徴とする塗布容器。
【請求項２】
請求項１において、キャップと容器本体との間に着脱可能に介在し、口筒の繰り上がりを阻止するストッパを設けたことを特徴とする塗布容器。
【請求項３】
請求項１又は２において、容器本体は、２つの密閉容器を連結してなるものであることを特徴とする塗布容器。
【発明の詳細な説明】
【技術分野】
【０００１】
本発明は、密閉容器に内容物を封入したまま流通させることができると共に、使用の際の取り出しも容易な塗布容器に関するものである。
【背景技術】
【０００２】
従来の塗布容器には、例えば、塗布具として、櫛体を備えるものがあり（例えば、特許文献１参照）。また他の塗布容器には、塗布具として、球体、ヘラ又はローラを備えるものもある（例えば、特許文献２参照）がある。特に、特許文献２に記載のものは、容器体に蓋体を螺着させたレフィル容器を用いることで、密閉容器に内容物を封入したまま流通させることができる。
【先行技術文献】
【特許文献】
【０００３】
【特許文献１】特開２００５−１３２４１３号公報
【特許文献２】特開２００５−１８７００６号公報
【発明の概要】
【発明が解決しようとする課題】
【０００４】
しかしながら、特許文献２に記載のものは、容器体に蓋体を螺着させているため、予め蓋体を容器体から取り外した状態で塗布具に装着する必要があることから、流通段階から使用段階の間に、内容物が外気に触れることになる。
【０００５】
これに対し、本願発明者は、口筒の上端開口が破断可能に封止された密閉容器に着目することで、塗布具付きカバーの下端に固定されてその内側に内容物の充填空間を形作るベースに、充填空間を外界に通じさせる筒状保持部を設ける一方、密閉容器の口筒に螺合するキャップに、筒状保持部を貫通する貫通筒を設けて筒状保持部で回転可能に保持すると共に、キャップの内側と充填空間とを通じさせる貫通筒の貫通孔から突起を垂下させ、この突起が、キャップの回転により繰り上がった口筒の上端開口を破断するものを創作するに至った。
【０００６】
ところが、本願発明者は、こうした塗布容器にも依然として、ベースとキャップとの間での液密性（シール性）や、ベースに対するキャップの組み付け安定性に改善の余地があることを見出した。
【０００７】
本発明の目的とするところは、密閉容器に内容物を封入したまま流通させることができると共に、使用の際の取り出しも容易な塗布容器を提供することにある。
【課題を解決するための手段】
【０００８】
本発明である、塗布容器は、口筒の上端開口が破断可能に封止された少なくとも１つの密閉容器からなる容器本体と、当該容器本体からの内容物を外界に注出させる開口部を有して内容物を塗布する塗布具付きカバーと、当該塗布具付きカバーの下端に固定されてその内側に充填空間を形作ると共に当該充填空間を外界に通じさせる筒状保持部が設けられたベースと、当該ベースの筒状保持部を貫通する貫通筒を有し容器本体の口筒を取り囲むキャップとを備え、
当該キャップは、筒状保持部で回転可能に保持されていると共に、筒体部の内周面に形成されたねじ部によって、口筒にねじ付けられて当該口筒を貫通筒に向かって繰り上げるものであって、
キャップの内側と充填空間とを通じさせる貫通筒の貫通孔から、キャップの回転により繰り上がった口筒の被膜を押圧して当該被膜を破断させる突起部を垂下させ、更に、
キャップがベースに対して回転可能に嵌合保持されていると共に、
当該ベースの筒状保持部に、貫通筒を全周に亘って摺動可能に保持する環状の突起が設けられていることを特徴とするものである。
【０００９】
キャップがベースに対して回転可能に嵌合保持されている構成としては、例えば、キャップに設けられた凸部が、ベースから垂下する周壁に設けられた凸部に対して回転可能に嵌合保持されている構成や、凸部及び凹溝からなる構成等、既存の構成を採用することができる。本発明によれば、キャップと容器本体との間に着脱可能に介在し、口筒の繰り上がりを阻止するストッパを設けることができる。
【００１０】
本発明によれば、容器本体は、２つの密閉容器を連結してなるものとすることができる。
【発明の効果】
【００１１】
本発明は、口筒の上端開口が破断可能に封止された密閉容器に着目し、塗布具付きカバーの下端に固定されてその内側に内容物の充填空間を形作るベースに、充填空間を外界に通じさせる筒状保持部を設ける一方、密閉容器の口筒に螺合するキャップに、筒状保持部を貫通する貫通筒を設けて筒状保持部で回転可能に保持すると共に、キャップの内側と充填空間とを通じさせる貫通筒の貫通孔から突起を垂下させ、この突起が、キャップの回転により繰り上がった口筒の上端開口を破断するものとしたから、
流通段階から使用段階の間に、内容物が外気に触れることなく、密閉容器に内容物を封入したまま流通させることができると共に、使用の際の取り出しも容易になる。
【００１２】
加えて、キャップがベースに対して回転可能に嵌合保持されているから、
ベースに対してキャップを組み付けした後の、組み付け安定性に優れる。
【００１３】
さらに、当該ベースの筒状保持部に、貫通筒を全周に亘って摺動可能に保持する環状の突起が設けられているから、
ベースとキャップとの間での液密性（シール性）も向上する。
【００１４】
また、キャップと容器本体との間に着脱可能に介在し、口筒の繰り上がりを阻止するストッパを設ければ、口筒の容易な繰上げを維持しつつも、口筒が誤って繰上がることを防止することはできる。
【００１５】
また、容器本体を、２つの密閉容器を連結してなるものとすれば、２つのキャップは、ベースと共に、２つの口筒を介して一体化した容器本体に拘束されるため、一方のキャップを操作して回転させても、ベース及び容器本体に対して空転することがない。このため、１つのキャップを回転させるだけで、口筒の繰り上がりを容易に行うことができる。
【図面の簡単な説明】
【００１６】
【図１】本発明の一形態である塗布具付き容器の未使用状態を一部断面で示す側面図である。
【図２】本発明の一形態である塗布具付き容器の使用状態を一部断面で示す側面図である。
【図３】(a),(b)はそれぞれ、図２に示す領域Ｘの拡大図である。
【図４】同形態の未使用状態を示す斜視図である。
【図５】同形態を一部分解して示す斜視図である。
【発明を実施するための形態】
【００１７】
以下、図面を参照して、本発明である、塗布容器を詳細に説明する。
【００１８】
１は、２つの密閉容器２を連結してなる容器本体である。密閉容器２はそれぞれ、図１に示すように、内容物Ｃの充填空間２ｓを形作る胴部２ａを互いに一体に連結してなるチューブ容器である。密閉容器２は、充填空間２ｓに通じる通路２ｒを形作る口筒２ｂを有して当該口筒２ｂの上端開口Ａ2が破断可能な薄膜２ｃによって封止されている。
【００１９】
薄膜２ｃは、本形態のように、密閉容器２と一体に成形された薄膜以外にも、例えば、アルミシート等の別部材として構成することができる。
【００２０】
３は、複数の櫛体３ａを備える塗布具付きカバーである。塗布具カバー３は、当該櫛体３ａの相互間に、容器本体１からの内容物Ｃを外界に注出させる開口部Ａ3を有し、図２に示すように、櫛体３ａの相互間に内容物Ｃを注出することで、内容物Ｃを毛髪に塗布する。なお、図においては、櫛体３ａ及び開口部Ａ3を例示として１箇所のみ示す。
【００２１】
４は、塗布具付きカバー３の下端に固定される仕切り板４ａを有して、塗布具付きカバー３の内側に内容物Ｃの貯留空間３ｓを形作るベースである。ベース４には、貯留空間３ｓを外界に通じさせる２つの筒状保持部４ｂが設けられ、当該筒状保持部４ｂはそれぞれ仕切り板４ａから一体に起立する。また、仕切り板４ａには、後述のスクリューエレメント６が立設されている。
【００２２】
５は、筒状保持部４ｂを貫通する貫通筒５ａを有し当該貫通筒５ａの下端から容器本体１の口筒１ｂを取り囲む筒体部５ｂが一体に垂下するキャップである。キャップ５は、貫通筒５ａを介して筒状保持部４ｂで回転可能に保持され、貫通筒５ａの上端部分は、筒状保持部４ｂの上端に引っ掛かって抜け止め保持される隆起部５ｒで構成されている。
【００２３】
また、キャップ５は、筒体部５ｂの内周面にねじ部５ｓが形成され、このねじ部５ｓは、口筒２ｂに形成されたねじ部２ｓにねじ付けられている。これにより、キャップ５を筒状保持部４ｂの周りで回転させると、口筒２ｂを図２に示すように、貫通筒５ａに向かって繰り上げることができる。
【００２４】
貫通筒５ａの貫通孔Ａ5は、キャップ５の内側と貯留空間３ｓとを通じさせると共に、その内側から、先細りの十文字形としてなる突起部５ｄが一体に垂下している。この突起部５ｄは、キャップ５の回転によって繰り上がった口筒２ｂの被膜２ｃを押圧して、当該被膜２ｃを図２及び図３に示すように破断させる。これにより、２つの密閉容器２それぞれから圧送された内容物Ｃは、充填空間３ｓ内でスクリューエレメント６によって混合された後、開口部Ａ3を通して外界に注出される。
【００２５】
また、キャップ５は、筒体部５ｂの外周面のうち、上端縁側外周面の全周に亘って、環状の凸部５ｐが設けられている。これに対し、ベース４の仕切り板４ａには、筒体部５ｂの上端外周面を取り囲む周壁４ｃが一体に垂下する。周壁４ｃの内周面にも、その全周に亘って環状の凸部４ｐ1が一体に設けられている。当該凸部４ｐ1は、筒体部の上端外周面に設けられた凸部５ｐに対して引っ掛かることで、ベース４に対してキャップ５を回転可能に嵌合保持する。
【００２６】
また、ベース４は、筒状保持部４ｂの内周面に、貫通筒５ａの外周面５ｆを全周に亘って摺動可能に液密保持する環状の突起（シール突起）４ｓが設けられている。これにより、容器本体１の胴部２ａを押圧することで、充填空間２ｓの内容物が、口筒２ａの上端開口Ａ5を通して充填空間３ｓに圧送されるときも、ベース４とキャップ５との間からは漏れることがない。
【００２７】
なお、塗布具付きカバー３とベース４との間については、図５に示すように、ベース４の仕切り板４ａには、その外縁に沿って環状の枠壁４ｈが一体に起立し、この枠壁４ｈの上端外周面に設けた環状の突起４ｐ2が塗布具付きカバー３の内側に設けられた環状の突起３ｐに引っ掛かることで、塗布具付きカバー３は、ベース４に対して抜け止め保持されている。
【００２８】
更に、本形態では、図３(a)に示すように、塗布具付きカバー３の内側には、ベース４の枠壁４ｈに沿って環状に周回する枠壁３ｈが一体に垂下する。これにより、塗布具付きカバー３をベース４に組み付けると、図３(a)に示すように、枠壁３ｈの内周面３ｆと枠壁４ｈの内周面４ｆとが密接することで、塗布具付きカバー３とベース４との間を液密状態に保持する。これにより、充填空間２ｓの内容物が、口筒２ａの上端開口Ａ5を通して充填空間３ｓに圧送されるときも、塗布具付きカバー３とベース４との間からも漏れることがない。
【００２９】
また、１０は、容器本体１とキャップ５との間に着脱可能に介在し、口筒２ｂの繰り上がりを阻止するストッパである。ストッパ１０は、２つのキャップ５の相互間に挿入される中央延長部１１を有し、この中央延長部１１を挟み込む２つの外縁延長部１２との相互間で、キャップ５をそれぞれ挟持する。ストッパ１０は、摘み部１３を有し、容器本体１の肩部２ｄにそれぞれ、載せ置かれることで、その厚み分だけキャップ５の回転を阻止するのに対し、容器本体１から取り除いた後は、その厚み分だけの口筒２ｂの繰上げを許容する。
【００３０】
本形態は、口筒２ｂの上端開口Ａ2が破断可能に封止された密閉容器２に着目し、塗布具付きカバー３の下端に固定されてその内側に内容物Ｃの充填空間２ｓを形作るベース４に、充填空間２ｓを外界に通じさせる筒状保持部４ｂを設ける一方、密閉容器２の口筒２ａに螺合するキャップ５に、筒状保持部４ｂを貫通する貫通筒５ａを設けて筒状保持部４ｂで回転可能に保持すると共に、キャップ５の内側と充填空間２ｓとを通じさせる貫通筒５ａの貫通孔Ａ5から突起５ｄを垂下させ、この突起５ｄが、キャップ５の回転により繰り上がった口筒２ｂの被膜２ｃを破断するものとしたから、
流通段階から使用段階の間に、内容物Ｃが外気に触れることなく、密閉容器２に内容物Ｃを封入したまま流通させることができると共に、使用の際の取り出しも容易になる。
【００３１】
加えて、キャップ５に設けられた凸部５ｐが、ベース４から垂下する周壁４ｃに設けられた凸部４ｐ1に対して回転可能に嵌合保持されているから、
ベース４に対してキャップ５を組み付けした後の、組み付け安定性に優れる。
【００３２】
さらに、ベース４の筒状保持部４ｂに、貫通筒５ａを全周に亘って摺動可能に保持する環状の突起４Ｓが設けられているから、
ベース４とキャップ５との間での液密性（シール性）も向上する。
【００３３】
また、本形態の如く、キャップ５と容器本体１との間に着脱可能に介在し、口筒２ｂの繰り上がりを阻止するストッパ１０を設ければ、口筒２ｂの容易な繰上げを維持しつつも、口筒２ｂが誤って繰上がることを防止することはできる。
【００３４】
また、本形態の如く、容器本体１を、２つの密閉容器２を連結してなるものとすれば、２つのキャップ５は、ベース４と共に、２つの口筒２ｂを介して一体化した容器本体１に拘束されるため、一方のキャップ５を操作して回転させても、ベース４及び容器本体１に対して空転することがない。このため、１つのキャップ５を回転させるだけで、口筒２ｂの繰り上がりを容易に行うことができる。
【００３５】
上述したところは、本発明の好適な形態を示したものであるが、用途に応じて様々に設計変更することができる。例えば、塗布具としては、櫛体以外にも、球体、ヘラ又はローラを備えるものが挙げられる。密閉容器は、チューブ容器として説明したが、本発明によれば、例えば、ブロー成形されたスクイズ容器等の、様々な容器を適用できる。
【００３６】
また、容器本体は、本形態の如く、複数の密閉容器を連結してなる複合容器に限定されるものではなく、例えば、３つ以上の密閉容器を連結してなるもの、或いは、１つの密閉容器単体で構成することも可能である。
【産業上の利用可能性】
【００３７】
また、本発明に従えば、その内容物として、軟膏等の粘性の高いものは勿論、シャンプーやリンス、液体石鹸、化粧料等の、粘性の低いものにも適用できる。
【符号の説明】
【００３８】
１    容器本体
２    チューブ容器（密閉容器）
２ａ  胴部
２ｂ  口筒
２ｃ  被膜
２ｄ  肩部
２ｒ  通路
２ｓ  充填空間
３    塗布具付きカバー
３ａ  櫛体
３ｐ  環状の突起（アンダーカット嵌合用）
３ｓ  貯留空間
４    ベース
４ａ  仕切り板
４ｂ  筒状保持部
４ｃ  周壁
４ｈ  環状の枠壁
４ｐ1 凸部（アンダーカット嵌合用）
４ｐ2 環状の突起（アンダーカット嵌合用）
４ｓ  環状の突起（シール突起）
５    キャップ
５ａ  貫通筒
５ｂ  筒体部
５ｄ  突起部
５ｐ  凸部（アンダーカット嵌合用）
５ｒ  隆起部
５ｓ  ねじ部
６    スクリューエレメント
１０  ストッパ
１１  中央延長部
１２  外縁延長部
１３  摘み部
Ｃ    内容物
【図１】
2011251709.tif 000003
【図２】
2011251709.tif 000004
【図３】
2011251709.tif 000005
【図４】
2011251709.tif 000006
【図５】
2011251709.tif 000007